(57)【要約】【課題】  開口部を開けた状態で、袋を使い易くかつ簡単に位置決め固定する。【解決手段】  開口部Ｐ２とこの開口部Ｐ２から上方に延びて手に握られる複数の取っ手部Ｐ１，Ｐ１とを備えた袋Ｐを、開口部Ｐ２を上にして内側に位置させる支持体Ｇと、支持体Ｇの外側の複数箇所に取り付けられ、袋Ｐの複数の取っ手部Ｐ１，Ｐ１が掛けられる取っ手掛け部７，７と、取っ手掛け部７，７を上下に移動させるとともに、移動した状態で固定する移動機構６，６とを備えている。端部が取っ手掛け部７，７に引っ掛けられた袋Ｐの取っ手部Ｐ１，Ｐ１側は、支持体Ｇの上縁側に支持されつつ、取っ手部Ｐ１，Ｐ１の端部が移動機構６，６により下方に引かれて位置決めされる。このため、袋Ｐの開口部Ｐ２は、支持体Ｇの上縁側で、充分に開いた状態で位置決めされる。【選択図】        図９
2005324925.tif 000002
【特許請求の範囲】
【請求項１】
開口部とこの開口部から上方に延びて手に握られる複数の取っ手部とを備えた袋を、開口部を上にして内側に位置させる支持体と、
この支持体の外側の複数箇所に取り付けられ、上記袋の複数の取っ手部が掛けられる複数の取っ手掛け部と、
この取っ手掛け部を上下に移動させるとともに移動した状態で固定する移動機構とを備えたことを特徴とする袋固定装置。
【請求項２】
上記袋の取っ手部は、当該袋の開口部で等間隔で２つ以上設けられ、上記取っ手掛け部は、上記支持体の外側に等間隔で２つ以上設けられていることを特徴とする請求項１記載の袋固定装置。
【請求項３】
上記取っ手掛け部は支持体から外方へ突出するとともに、上下に回動可能であることを特徴とする請求項１または２記載の袋固定装置。
【請求項４】
上記取っ手掛け部の根元には、袋の取っ手部が当たって係止される取っ手当接部が設けられていることを特徴とする請求項１、２または３記載の袋固定装置。
【請求項５】
開口部を備えた袋を、開口部を上にして内側に位置させ、当該袋の開口部が上部に係止される複数の支持体と、
この複数の支持体の上部を外方へ付勢する付勢機構と、
この付勢機構の付勢による、支持体の上部の外方への動きを規制する付勢規制機構とを備えたことを特徴とする袋固定装置。
【請求項６】
上記付勢規制機構は、上記各支持体の上部を連結して繋ぐ機構であることを特徴とする請求項５記載の袋固定装置。
【請求項７】
上記付勢規制機構は、上記各支持体の上部を繋ぐ長さが変更され、この変更によって支持体の上部の動きの規制量が変更されることを特徴とする請求項６記載の袋固定装置。
【請求項８】
上記付勢規制機構は、上記各支持体に対して固定されておらずスライド可能に係合されていることを特徴とする請求項６または７記載の袋固定装置。
【請求項９】
上記付勢規制機構は、各支持体の上部間の長さを変更した状態で、当該長さを固定する固定機構を備えていることを特徴とする請求項７または８記載の袋固定装置。
【請求項１０】
上記付勢規制機構は、上記各支持体の上部を繋ぐ長さを変更する場合に、この変更される長さを下限で規制する長さ規制機構を備えたことを特徴とする請求項７、８または９記載の袋固定装置。
【請求項１１】
上記長さ規制機構は、各支持体間において、各支持体より突出した、当接体であり、上記各支持体間隔が所定値未満になると、各当接体同志または当接体と支持体とが当接して、各支持体間隔を下限で規制することを特徴とする請求項１０記載の袋固定装置。
【請求項１２】
上記指示体は上下に延びる棒状であり、
上記付勢規制機構は、上記支持体の上部をスライド可能に係合して繋ぐ、可撓性を有する一体の紐体であり、
上記長さ規制機構は、上記一体の紐体を中に通す筒体であることを特徴とする請求項９または１１記載の袋固定装置。
【発明の詳細な説明】
【技術分野】
【０００１】
本発明は、使用に当り、開口部を開いた状態で、袋を位置決め固定する袋固定装置に関するものである。
【背景技術】
【０００２】
ポリエチレンやビニール樹脂といった合成樹脂や紙等から形成される袋は、スーパー、ショッピングセンター、コンビニといった種々の店舗において、購入者が品物を入れて持ち帰るのに多く使用されている。したがって、この袋は、多用された結果、今や各家庭等において氾濫状態となり、ゴミを増やす原因になっている。
【０００３】
そこで、このような袋に着目し、これを再利用する提案も種々なされている。図１６は、このような提案の一つである、特許文献１記載の袋固定装置を示している。この袋固定装置１００は、Ｕ状をした一対の主フレーム１００，１００を対向するように配置し、その下部１００ａ，１００ａどうしを回動自在に連結することにより、自立可能となっている。
【０００４】
この袋固定装置１００では、左右に回動させて上部をやや開いた主フレーム１００，１００の上端側凸部１００ｂ，１００ｂに、一対の取っ手部Ｐ１，Ｐ１を引っ掛けた状態で、これらの主フレーム１００，１００間に、袋Ｐが落とし込まれて位置決めされている。
【０００５】
【特許文献１】実開昭６０−７５２０９号公報
【発明の開示】
【発明が解決しようとする課題】
【０００６】
上述の袋固定装置１００では、袋Ｐが取っ手部Ｐ１，Ｐ１を介して吊すように位置決めされているので、開口部Ｐ２が下方に下がってしまい、袋Ｐの使い勝手が悪いという問題があった。また、この場合、袋Ｐの開口部Ｐ２も充分に開かないので、この点でも袋Ｐの使い勝手が悪いというという問題があった。
【０００７】
そこで本発明は、上述した課題を解決するためになされたものであり、袋を、開口部を開いた使い易い状態で、簡単に位置決め固定できる袋固定装置を提供することを目的とする。
【課題を解決するための手段】
【０００８】
上記目的を達成するために、本第１発明は、開口部とこの開口部から上方に延びて手に握られる複数の取っ手部とを備えた袋を、開口部を上にして内側に位置させる支持体と、この支持体の外側の複数箇所に取り付けられ、上記袋の複数の取っ手部が掛けられる複数の取っ手掛け部と、この取っ手掛け部を上下に移動させるとともに移動した状態で固定する移動機構とを備えるようにした。
【０００９】
本第１発明では、袋を開口部を上にして支持体の内側に位置させた後、例えば袋の２つの取っ手部を取っ手掛け部に引っ掛け、この取っ手掛け部を移動機構により支持体に沿って下降させて固定する。このことにより、袋は、取っ手部の端部側が下向きに引っ張られ、取っ手部の根本側が支持体の上縁側に係止された状態で、開口部を開かせる。
【００１０】
また、上記目的を達成するために、本第２発明は、開口部を備えた袋を、開口部を上にして内側に位置させ、当該袋の開口部が上部に係止される複数の支持体と、この複数の支持体の上部を外方へ付勢する付勢機構と、この付勢機構の付勢による、支持体の上部の動きを規制する付勢規制機構とを備えるようにした。
【００１１】
本第２発明では、開口部を上にして、複数の支持体の内側に位置させた袋の、この開口部周りを、例えば、支持体側に折り曲げて、この支持体に支持させる。つぎに、付勢規制機構を作動させて、付勢機構によって上端側が外方に付勢されている複数の支持体の上端側を、必要量だけ外方に移動させる。
【００１２】
このことにより、袋の開口部周りは、複数の支持体によって広がるように移動し、この袋の開口部は、複数の支持体の上端側において最大限に広げられる。また、付勢規制機構の調整により、袋の開口部の開きすぎを防止することにより、袋の破損を防止できる。なお、この第２発明では、袋には取っ手部があってもなくてもよい。
【発明の効果】
【００１３】
本第１発明では、袋を内側に位置させる支持体の上縁側に、袋の開口部をピンと張った開いた状態で位置させることができるので、袋へのものの投入が容易となり、袋の使い勝手の向上を図ることができる。
【００１４】
本第２発明では、袋を内側に位置させる複数の支持体の上端側に、開口部の大小にかかわらず、袋の開口部を最も開いた状態で位置させることができるので、袋へのものの投入が容易となり、袋の使い勝手の向上を図ることができる。また、袋の開口部の開きすぎによる袋の破損も防止できる。
【発明を実施するための最良の形態】
【００１５】
（１）袋固定装置の構成。
図１はこの発明の一実施の形態に係る袋固定装置１の全体構成を示している。袋固定装置１は、例えば薄いプラスチック（合成樹脂）製の袋Ｐ（図８参照）を、開口部Ｐ２を上向きにして、この開口部Ｐ２を充分に開いた使い易い状態で位置決め固定するものである。
【００１６】
この袋固定装置１では、図９で示されるように、開口部Ｐ２周りに設けられた取っ手部Ｐ１，Ｐ１を下方に引いて袋Ｐを位置決め固定する第１の作用と、図１１で示されるように、開口部Ｐ２の周縁部（以下開口周縁部Ｐ３という）を外側に折り返して、袋Ｐを位置決め固定する第２の作用とを実現できる。
【００１７】
なお、取っ手掛け部７，７が３つ以上あり、取っ手部Ｐ１が袋Ｐに３つ以上ある場合でも、図１１と同様の作用効果は達成できる。また、取っ手掛け部７，７をずっと下まで下げて袋Ｐの開口部Ｐ２が支持棒３の上端を乗り越えた場合でも、図１１と同様の作用効果は達成できる。さらに、第２の作用の場合には、袋Ｐには取っ手部Ｐ１，Ｐ１はなくてもよい。
【００１８】
袋固定装置１は、図１で示されるように、底板２と、複数個（例えば８つ）の支持バー３・・と、支持バー３の数だけ設けられる付勢機構としての板バネ４・・と、付勢規制機構５と、袋Ｐの取っ手部Ｐ１の数（この実施形態では２つ）だけ設けられる移動機構６，６と、移動機構６の数（２つ）だけ設けられる取っ手掛け部７，７とから構成されている。
【００１９】
底板２は、例えば、直径２５０ｍｍ、厚さ１８ｍｍの木製の円板から形成されている。支持バー３は、例えば直径１６ｍｍ、長さ４２０ｍｍの木製丸棒の上端を、半球状に滑らかに形成したものである。この支持バー３は、下端が板バネ４を介して、底板２の外周端近傍に、等ピッチで固定されている。
【００２０】
図２は、板バネ４を用いた支持バー３の、底板２による支持状態を示している。板バネ４は、例えば、支持バー３の径より小幅に形成された薄い金属製のものである。この板バネ４は、上端側が、支持バー３の下端に設けられた差込溝３ａに差し込まれた後、ねじＮにより加圧固定され、下端側が底板２に圧入固定されている。この場合、板バネ４は、平らな側面部が底板２の外周端側に向けられるとともに、上端側が底板２の外方に向くように斜状に配置されている。
【００２１】
なお、底板２と、８本の支持バー３・・と、８つの板バネ４・・とで、かご状収納体Ｇが形成される。このかご状収納体Ｇは、支持バー３・・の上端側が底板２より大きく外方に突出した、筒形の逆円錐台形状に形成されている。
【００２２】
付勢規制機構５は、かご状収納体Ｇの支持バー３の傾斜角度を規制して、かご状収納体Ｇの上端側の径（以下上端径Ｄという）を定めるものである。この付勢規制機構５は、図１で示されるように、長さ規制機構である複数（支持バー３と同数）の湾曲パイプ２０・・と、紐体である紐部材２１と、固定機構である紐繰出し機構２２と、連結重り２３とから構成されている。
【００２３】
湾曲パイプ２０は、支持バー３の上端側に設けられた水平貫通孔３ｂ中に差し込まれ、中間部が支持バー３の位置にきた状態で、曲率中心側（小径側）がかご状収納体Ｇの内方に位置するように、この支持バー３に固定されている。８つの湾曲パイプ２０・・は、これらをつなぎ合わせると底板２より充分小径のリング（図１０の（ａ）参照）となるように形成されていて、かご状収納体Ｇの上端径Ｄの最小径を決定する。この湾曲パイプ２０は、例えば、容易に変形しないプラスチック材や金属材から形成されている。
【００２４】
紐部材２１は、変形自在な可撓性を有するものであり、湾曲パイプ２０・・内を通過して、かご状収納体Ｇの支持バー３・・上端を連結する（結び付ける）機能を有している。この紐部材２１は、湾曲パイプ２０・・や紐繰出し機構２２中を通過後、両端部が連結重り２３に固定されることにより、環状に形成されている。
【００２５】
図３は、紐繰出し機構２２の主要部を示している。紐繰出し機構２２は、湾曲パイプ２０・・側に繰り出されている紐部材２１の繰出し長さを調整して、かご状収納体Ｇの上端径Ｄを決定するものである。この紐繰出し機構２２は、円筒部２２１内に押圧部材２２２がバネ部材２２３の弾性力に抗しつつ差し込まれているストッパー２２０と、上端側が湾曲パイプ２０側に配置され、下端側がストッパー２２０に連結される規制パイプ２２４とから構成されている。規制パイプ２２４の下端は、円筒部２２１を貫通するように設けられた孔部２２１ａと連通するように位置決めされている。また、押圧部材２２２にも、円筒部２２１の孔部２２１ａと同じ向きに、同径の孔部２２２ａが貫通するように形成されている。
【００２６】
したがって、湾曲パイプ２０・・側に繰り出された紐部材２１は、両端側が、紐繰出し機構２２中を通過することにより、バネ部材２２３の弾性力により、円筒部２２１と押圧部材２２２により加圧されて移動が阻止される。また、紐部材２１は、押圧部材２２２を円筒部２２１側に押して、孔部２２１ａと孔部２２２ａとの位置を合わせるようにすることにより、上記加圧が解除され、移動が自由となる。
【００２７】
図４〜図７は移動機構６と取っ手掛け部７との詳細を示している。
移動機構６は、取っ手掛け部７を上下動させて、これを所望の上下位置に位置決め固定するものである。２つの移動機構６，６は、かご状収納体Ｇの互いに対向する一対の支持バー３，３の、上部側の外向き位置に、互いに向き合うように取り付けられている。
【００２８】
この移動機構６は、図４及び図７で示されるように、支持バー３の外面に、その軸方向（上下方向）に固定される上下に長い案内レール６０と、案内レール６０中をこれに沿って上下に移動可能な移動体６１と、一端が移動体６１に固定され、他端側が案内レール６０に加圧される位置決め用の湾曲板バネ６２とから構成されている。
【００２９】
案内レール６０は、溝部６０ａによって断面が（コ）の字形に形成され、溝部６０ａに臨む一方の突出片６０ｂには、長手方向に波形凹凸部Ｑ・・が一定ピッチで多数形成されている。移動体６１は、案内レール６０中にある基部６１ａから、溝部６０ａを介して、突起部６１ｂが、案内レール６０外方に突出している。
【００３０】
この突起部６１ｂは、これに変形可能に固定された湾曲板バネ６２が案内レール６０の凹凸部Ｑを加圧することにより、反対面が溝部６０ａに臨む案内レール６０の他方の突出片６０ｃ側に押圧されている。湾曲板バネ６２は、案内レール６０の凹凸部Ｑ・・の凹部に沿うように形成されており、その凸部を越えるには、大きな変形力が必要となるので、移動体６１は案内レール６０の凹凸部Ｑ・・の凹部毎に位置決めされる。
【００３１】
取っ手掛け部７は、袋Ｐの取っ手部Ｐ１，Ｐ１が掛けられた、袋Ｐを支持バー３側に支持させるためのものである。この取っ手掛け部７は、移動機構６の移動体６１と共に移動可能な操作部７０と、操作部７０に上下に回動可能に支持される引っ掛け部７１とから構成されている。操作部７０は、丈の低いやや大径の円柱ブロックから形成されており、一面側が移動体６１に取り付けられている。
【００３２】
引っ掛け部７１は、例えばビニール被覆の針金から形成されている。この引っ掛け部７１は、図４〜図６で示されるように、操作部７０の左右の湾曲面側に差し込まれて回動自在に支持される一対の支持部７１ａ，７１ａと、各支持部７１ａから右方及び左方にそれぞれ延びて、支持部７１ａよりやや下方の位置に戻る左右の取っ手当接部７１ｂ、７１ｂと、一方の取っ手当接部７１ｂの下端から下方に延びた後、他方の取っ手当接部７１ｂの下端に戻る下向き凸状の差込部７１ｃとを有している。
【００３３】
なお、支持部７１ａは、かご状収納体Ｇ側に向かう足部Ｒを有しているとともに、取っ手当接部７１ｂは、先端部側がかご状収納体Ｇの外面に沿うよう湾曲されている。また、差込部７１ｃは、下端部が支持バー３側から離れるように曲げられている。
【００３４】
この取っ手掛け部７は、図５で示されるように、一対の取っ手当接部７１ｂ，７１ｂが差込部７１ｃの上側にあるＴ字状の固定位置Ａと、支持部７１ａ，７１ａを中心に略１８０度上向きに回転して逆下字状になる差込位置Ｂとに位置決めできる。
【００３５】
（２）袋固定装置１の第１の作用と効果。
袋固定装置１の第１の作用と効果は、この袋固定装置１の構成のうち、付勢機構（板バネ４）や付勢規制機構５にはあまり着目せず、主に移動機構６，６や取っ手掛け部７，７に着目した場合の、この袋固定装置１の作用と効果をいう。この場合、かご状収納体Ｇは、例えば、図１で示されるように、円筒状に形成されており、この状態で、付勢規制機構５の操作はなされない、または付勢規制機構５は無いものと仮定するし、実際に無くてもよい。
【００３６】
そして、かご状収納体Ｇと、このかご状収納体Ｇの形状を決定するとともに、袋Ｐの取っ手部Ｐ１，Ｐ１側を支持バー３・・の上端側で支持する、湾曲パイプ２０・・及び紐部材２１とが、袋Ｐを開口部Ｐ２を上にして内側に支持させる支持体となる。なお、円筒状に形成されかご状収納体Ｇを、説明の都合上円筒かごＧ１と呼ぶ。
【００３７】
図８は袋Ｐを袋固定装置１に位置決め固定する直前の状態を示しており、図９は袋Ｐを袋固定装置１で位置決め固定した状態を示している。
まず、取っ手掛け部７の操作部７０を上方に操作して、移動機構６の移動体６１を案内レール６０の上部に移動し、この操作部７０を円筒かごＧ１の上端側に位置決めする。つづいて、取っ手掛け部７の引っ掛け部７１を上方に回動させて、これを、差込部７１ｃを上にした差込位置Ｂに位置決めする。
【００３８】
このことにより、取っ手掛け部７の引っ掛け部７１は、差込部７１ｃを上にして、円筒かごＧ１より上方に大きく突出した状態となる。つづいて、袋Ｐの下部を円筒かごＧ１内に挿入するとともに、一対の取っ手掛け部７，７の差込部７１ｃ，７１ｃを取っ手部Ｐ１，Ｐ１の開口Ｋ，Ｋに差し込む。
【００３９】
つぎに、袋Ｐを円筒かごＧ１内に充分に落とし込んだ状態で、取っ手掛け部７の引っ掛け部７１，７１を固定位置Ａ側に回動させる。このことにより、袋Ｐの取っ手部Ｐ１，Ｐ１は、下方に引かれた状態で、引っ掛け部７１，７１に引っ掛けられる。この場合、取っ手部Ｐ１は、下端部が差込部７１ｃの下側に位置するとともに、他の部分が取っ手当接部７１ｂ，７１ｂの上側に位置して、この引っ掛け部７１に巻き付けられる。
【００４０】
つづいて、取っ手掛け部７，７の操作部７０，７０を下方に移動して、移動機構６、６を介して、引っ掛け部７１，７１を下げ、袋Ｐの開口部Ｐ２が円筒かごＧ１の上縁（上端）の位置にくるように位置決めする。この場合、袋Ｐは、取っ手部Ｐ１，Ｐ１側が円筒かごＧ１の上縁上をすべるように移動して、取っ手部Ｐ１，Ｐ１の端部が下方に引き下げられ、開口部Ｐ２がぴんと張った状態で開けられる。
【００４１】
そして、取っ手掛け部７，７の操作部７０，７０をさらに下方に下げると、袋Ｐの開口周縁部Ｐ３が支持バー３の上端を乗り越えて図１１に示すような状態となる。また、取っ手掛け部７，７の数を３つ以上にし、取っ手部Ｐ１，Ｐ１の数も３つ以上であれば、袋Ｐの開口部Ｐ２を四方八方に広げることができる。なお、袋固定装置１から袋Ｐを取り出すには、上記と全く逆の操作を行えばよい。
【００４２】
このように、この袋固定装置１では、円筒かごＧ１内の袋Ｐの取っ手部Ｐ１，Ｐ１を取っ手掛け部７，７で引っ掛けて、この取っ手部Ｐ１，Ｐ１側を、円筒かごＧ１の上縁上を滑らせるようにして下方へ引き下げている。このため、袋Ｐは、円筒かごＧ１の上縁側で開口部Ｐ２周りを弛ませることなく、開口部Ｐ２を開いた状態で位置決めされる。したがって、この袋固定装置１では、取っ手部Ｐ１の大小にかかわらず、開口部Ｐ２を開いた袋Ｐを、使い易い位置に位置決め固定でき、袋Ｐの使い勝手の向上を図ることができる。
【００４３】
この場合、袋Ｐの取っ手部Ｐ１の端部に係合する、取っ手掛け部７（取っ手当接部７１ｂ側の差込部７１ｃ）の幅サイズが、開口部Ｐ２の開き幅のサイズをある程度決定するので、この幅サイズはできるだけ大きくしておく。なお、差込部７１ｃの幅サイズを取っ手当接部７１ｂ側に向かって大きくし、取っ手掛け部７の回動とともに、取っ手部Ｐ１の開口Ｋを開かせ、袋Ｐの開口部Ｐ２の開き幅を大きくするようにしてもよい。
【００４４】
また、この袋固定装置１では、取っ手掛け部７の引っ掛け部７１を、固定位置Ａと差込位置Ｂとに上下に回動可能としている。このため、この袋固定装置１では、引っ掛け部７１が上側の差込位置Ｂにある場合、引っ掛け部７１の差込部７１ｃを円筒かごＧ１より上方に突出させることができ、袋Ｐの取っ手部Ｐ１を引っ掛け部７１により容易に引っ掛けることができる。
【００４５】
また、引っ掛け部７１を下側の固定位置Ａに回動させることにより、取っ手部Ｐ１を引っ掛け部７１から容易に外れないようにすることができる。この場合、袋Ｐの取っ手部Ｐ１を、円筒かごＧ１の上縁上に係合させて、下側に押し下げることができ、その分、袋Ｐの開口部Ｐ２を、円筒かごＧ１の上縁側に押し上げることができる。また、この場合、袋Ｐの取っ手部Ｐ１は、引っ掛け部７１の取っ手当接部７１ｂ，７１ｂに当たって支持部７１ａ，７１ａ側に達しないため、袋Ｐによって引っ掛け部７１の回動が妨害されることはない。
【００４６】
ところで、袋Ｐの開口部Ｐ２が支持体の上端側サイズ（円筒かごＧ１の上端径Ｄ）に比べて小さすぎ、取っ手部Ｐ１，Ｐ１を取っ手掛け部７，７に引っ掛けられない場合には、下記袋固定装置１の第２の作用のようにして、付勢規制機構５を作動させればよい。すなわち、付勢規制機構５を作動させて、支持体の上端側サイズ（かご状収納体Ｇの上端径Ｄ）を小さくし、この支持体の上端側サイズを開口部Ｐ２の大きさよりやや大きくなるようにする。また、袋Ｐの開口部Ｐ２が大きすぎて、取っ手部Ｐ１，Ｐ１の下降のみでは、開口部Ｐ２を充分に開けない場合は上記と逆にすればよい。
【００４７】
（３）袋固定装置１の第２の作用と効果。
袋固定装置１の第２の作用と効果は、この袋固定装置１の構成のうち、移動機構６や取っ手掛け部７には注目せず、主に、付勢機構（板バネ４）や付勢規制機構５に着目した場合の、この袋固定装置１の作用と効果をいう。したがって、移動機構６や取っ手掛け部７はないものと仮定するし、実際に無くてもよい。
【００４８】
まず、付勢機構（板バネ４）と付勢規制機構５とによる、かご状収納体Ｇの動作について説明する。図１０の（ａ）は、かご状収納体Ｇの上端径Ｄを最小にした場合を示し、図１０の（ｂ）は、かご状収納体Ｇの上端径Ｄを底板２の外径より充分に大きくした場合を示している。
【００４９】
かご状収納体Ｇは、各支持バー３・・の上端側が基台５より外方に向かうような（上端径Ｄが大きくなるような）弾性力を、各板バネ４・・により等しく受けている。したがって、紐繰出し機構２２の押圧部材２２２を加圧して、ストッパー２２０による紐部材２１の拘束を解除すると、紐部材２１による規制が解除されて、かご状収納体Ｇの支持バー３・・の上端側は外方に移動する。このことにより、紐部材２１の湾曲パイプ２０・・側への繰り出し長さが増大し、かご状収納体Ｇの上端径Ｄは大きくなる。
【００５０】
そして、作業者が、紐繰出し機構２２の押圧部材２２２から手を離し、ストッパー２２０により紐部材２１を拘束すると、紐部材２１の湾曲パイプ２０・・側への繰り出しがなくなり、かご状収納体Ｇの上端径Ｄは定まる。この場合、各支持バー３・・の上端側は、略等しい力で外方へ移動しようとするため、支持バー３・・の上端側の間隔は略等しくなり、かご状収納体Ｇの上端側は支持バー３・・によって真円に近い形状を示す。
【００５１】
また、紐繰出し機構２２の押圧部材２２２を加圧して、ストッパー２２０による紐部材２１の拘束を解除し、連結重り２３を紐繰出し機構２２から引き離すように外方に引くと、紐部材２１が湾曲パイプ２０・・側から引き出され、かご状収納体Ｇの上端径Ｄは小さくなる。つづいて、押圧部材２２２から手を離し、ストッパー２２０により紐部材２１を拘束すると、紐部材２１の移動が停止し、かご状収納体Ｇの上端径Ｄが定められる。
【００５２】
この場合でも、支持バー３・・の上端側の間隔は略等しくなり、かご状収納体Ｇの上端側は支持バー３・・によって真円に近い形状を示す。なお、連結重り２３を充分に引くと、図１０の（ａ）で示されるように、湾曲パイプ２０の端部どうしが突き当たるように当接して、かご状収納体Ｇは、上端径Ｄをこれ以上小さくできない状態となる。
【００５３】
つぎに、袋Ｐを、袋固定装置１に位置決め固定する場合について説明する。この場合、支持バー３が支持体となり、複数の支持バー３・・が、袋Ｐの開口部Ｐ２を上にして内側に位置させ、袋Ｐの開口部Ｐ２周りをその上部に係止するものとなる。
【００５４】
図１１は袋Ｐを袋固定装置１に位置決め固定した状態を示している。
まず、付勢規制機構５の押圧部材２２２を加圧して、紐部材２１の湾曲パイプ２０・・側への繰り出し長さを調整し、袋Ｐの開口部Ｐ２の大きさに比べて、かご状収納体Ｇの上端径Ｄを充分に小さくしておく。
【００５５】
つづいて、このかご状収納体Ｇ内に開口部Ｐ２を上にした状態で袋Ｐを落とし込み、袋Ｐの開口周縁部Ｐ３を、かご状収納体Ｇの外側に充分に折り曲げ、この袋Ｐをかご状収納体Ｇの上端側に支持させる。この場合、取っ手部Ｐ１，Ｐ１もかご状収納体Ｇの外側に折り曲げる。つづいて、付勢規制機構５の押圧部材２２２を加圧し、板バネ４・・の作用で、紐部材２１を湾曲パイプ２０・・側へ繰り出させる。このことにより、かご状収納体Ｇの上端径Ｄが拡大し、袋Ｐの開口部Ｐ２は、開口周縁部Ｐ３を介して、板バネ４・・の弾性力によって、開口部Ｐ２の大きさだけ充分に開けられる。
【００５６】
また、板バネ４・・の弾性力が強すぎて、袋Ｐに破損のおそれがある場合には、開口部Ｐ２が充分に開いた段階で、付勢規制機構５の押圧部材２２２から手を離し、かご状収納体Ｇの上端径Ｄが大きくなるのを停止させる。なお、袋固定装置１から袋Ｐを取り出すには、上記と全く逆の操作を行えばよい。
【００５７】
このように、この袋固定装置１では、上端が板バネ４・・によって外方に付勢された複数の支持バー３・・の上端側の動きを、付勢規制機構５によって規制した状態で、支持バー３・・の内側に位置された袋Ｐを、開口周縁部Ｐ３を支持バー３・・側に折り曲げて、これに支持させるようにしている。このため、この袋固定装置１では、付勢規制機構５によって支持バー３・・の上端側を内側に移動させることにより、袋Ｐの開口周縁部Ｐ３を支持バー３・・側に容易に支持させることができる。
【００５８】
また、この袋固定装置１では、付勢規制機構５によって支持バー３・・の上端側を外側に移動させることにより、袋Ｐの開口部Ｐ２を、支持バー３・・の上端側において、これがどのような大きさであっても、その大きさだけ容易に開くことができる。この場合、開口部Ｐ２の開きすぎによる袋Ｐの破損も防止できる。したがって、この袋固定装置１では、袋Ｐを使い易い位置に、使い易い状態で、容易に位置決め固定でき、袋Ｐの使い勝手の向上を図ることができる。
【００５９】
また、この袋固定装置１では、付勢規制機構５の紐部材２１で複数の支持バー３・・の上部を繋ぐ（連結する）ようにしているので、支持バー３・・のない支持バー３・・間においても、この紐部材２１等により、袋Ｐの開口部Ｐ２周りを支持することができる。したがって、この袋固定装置１では、袋Ｐの開口部Ｐ２を開いた場合に、開口部Ｐ２周りに弛み（垂れ）が生じるのを防止できる。
【００６０】
さらに、この袋固定装置１では、等ピッチで円周上に配置される各支持バー３・・に、略等しい力で上部側を外方へ移動させようとする弾性力を与えるとともに、各支持バー３・・の上部の動きを、１本の移動自在な紐部材２１によって等しく規制している。このため、この袋固定装置１では、支持バー３・・間の距離を等しくでき、かご状収納体Ｇの上端径Ｄを真円近づけることができる。また、紐部材２１は、各支持バー３・・毎に固定されておらず、湾曲パイプ２０・・内を移動（スライド）自在となっているので、支持バー３・・側の長さを一箇所で調整するだけで、支持バー３・・の上部の動きを容易に規制できる。
【００６１】
また、この袋固定装置１では、付勢規制機構５に紐繰出し機構２２を設け、支持バー３・・側に、所望の量の紐部材２１を繰り出せるようにしているので、かご状収納体Ｇの上端径Ｄを容易に変更でき、装置の取り扱いの容易化を図ることができる。
【００６２】
さらに、この袋固定装置１では、長さ規制機構（湾曲パイプ２０・・）を設け、各支持バー３間の距離の下限を定めているので、かご状収納体Ｇの最小上端径Ｄが定められ、不要な操作範囲を無くすことにより、装置の取り扱いの容易化を図ることができる。また、過度に袋Ｐの開口部Ｐ２を閉じさせてしまうのを防止できる。
【００６３】
この場合、長さ規制機構（湾曲パイプ２０・・）を支持バー３より突出させるように設け、これらを互いに当接させることにより、その機能を発揮させるようにしているので、長さ規制機構の構成も簡単なものとなる。また、長さ規制機構を内部に紐部材２１が通される湾曲パイプ２０としているので、付勢規制機構５をまとまった簡単な構成とすることができるとともに、紐部材２１も、湾曲パイプ２０に案内されて、容易にスライド移動できるようになる。
【００６４】
なお、袋Ｐの開口周縁部Ｐ３を支持バー３・・側に折り曲げず、取っ手部Ｐ１，Ｐ１を取っ手掛け部７，７に引っ掛けて、付勢規制機構５を作動させるようにしてもよい。このことにより、ある程度、袋Ｐの開口部Ｐ２を開いた状態で、この開口部Ｐ２を支持バー３・・の上端側に位置決めすることができる。もちろん、移動機構６や取っ手掛け部７を３つ以上設けることによって、３つ以上の取っ手部Ｐ１・・を開口部Ｐ２周りに等ピッチで備えた袋Ｐの開口部Ｐ２を、支持体の上端側に位置させた状態で、更に広く開けることができる。
【００６５】
（４）他の実施の形態
袋Ｐの取っ手部Ｐ１，Ｐ１を取っ手掛け部７，７で引っ掛けて袋Ｐを位置決め固定する場合の支持体は、内側に袋Ｐを配置して自立可能であるとともに、移動機構６，６や取っ手掛け部７，７を支持でき、かつ、上縁部側で袋Ｐの取っ手部Ｐ１，Ｐ１側に係合して、これを支持できるものであれば、どのような形状のものであってもよい。
【００６６】
例えば有底、無底の円筒状や角筒状のもの、円錐筒状や角錐筒状のものの他、取っ手部Ｐ１が２つの場合には、支持体は互いに連結された、対向する２枚の板状（円弧板状）のものや、互いに連結された対向する２つのＴ字状のものであってもよい。袋Ｐの開口部Ｐ２周りに、取っ手部Ｐ１が３つ以上当ピッチで設けられている場合には、板状やＴ字状の支持体を円形に等ピッチで配置すればよい。なお、筒状や板状のものは、内部を透明樹脂や、金網で形成したり、かご状に形成して、袋Ｐがよく見えるようにしてもよい。
【００６７】
袋Ｐの開口用縁部Ｐ３を支持して、袋Ｐを位置決め固定する場合の支持体（支持バー３）としては、断面が円や多角形の、中実又は中空の棒状のものの他、中実又は中空の細長い円錐状のものであってもよい。また、支持体は、湾曲したもの（例えば、底板２を設けずに、底板２の中心側から水平又は斜め上方に放射状に延びた後、上方（ほぼ真上）に湾曲したもの）であってもよい。支持体の材質は、木製の他、金属製、セラミック製、樹脂製、繊維製、紙製など、どのようなものでもよい。
【００６８】
また、支持体の配列は、円形状の他、多角形状であってもよいし、支持体の数も、３つ以上であればいくつでもよい。さらに、袋Ｐの開口部Ｐ２を囲むように、所定の支持体（全部の支持体でもよい）に、例えば洗濯挟みのような挟着機構を設けておき、この挟着機構で袋Ｐの開口周縁部Ｐ３を挟み付けて、この袋Ｐを支持体側に支持させるようにしてもよい。
【００６９】
また、支持体の形状は、棒状の他、板状、直線上、曲線状、ジグザグ状、Ｔ字状、Ｈ字状、Ｅ字状、Ｆ字状、Ｌ字状、ト字状、ロ字状、エ字状、キ字状、コ字状、十字状、Ｘ字状、Ｕ字状、Ｖ字状、Ｎ字状、Ｚ字状、Ｓ字状、Ｗ字状、梯子状、＃形状、網状、これらの組み合わせなどどのような形状でもよい。底板２の形状も、正方形などの方形、多角形、長円形、環状、放射線状、星形、これらの組み合わせなどどのような形状でもよい。
【００７０】
付勢機構は、支持バー３の下端に取り付けられる板バネの他、支持バー３の下端が底板２側に回動自在に支持された、かご状収納体Ｇの上部側に、この外周部又は内周部に係合しつつ巻回され、例えばぜんまいバネの様に、この巻回を開く方向に弾性付勢された帯状の板バネでもよい。また、付勢機構は、底板２に回動自在に支持された支持バー３の下端部と、底板２との間に、支持バー３の上端側を外方に付勢するように、縦方向や横方向に取り付けられるコイルバネやゴムであってもよい。
【００７１】
図１２は、付勢機構として環状ゴムを横方向に用いた場合を示している。この場合、底板２の外周部に所定ピッチで溝２ａを設け、この溝２ａ内で、支持バー３の下部をピン８０によって回動自在に支持させる。そして、底板２の下面側中心部に設けられた支持部材８１と溝２ａを介して底板２から下方に突出した支持バー３の下端部３ｃとを環状ゴム８２で近づけるように加圧して連結する。
【００７２】
支持部材８１の外周や支持バー３の下端部３ｃ外周には、環状ゴム８２を掛け渡しやすいように、径が細くなるしぼり部を設けておく。この場合においても、支持バー３の上端側は、底板２の径方向外方に移動するように付勢（加圧）される。なお、環状ゴム８２のかわりに、引っ張るように作用するコイルバネを用いてもよい。
【００７３】
また、図１５に示すように、各支持バー３・・の各下方を貫通する環状の針金である底環８３によって、各支持バー３・・を外方へ揺動可能に支持し、各支持バー３・・の上方の湾曲パイプ２０の長さをこの環状針金より大きくすれば、各支持バー３・・の自重によって各支持バー３・・は外方へ付勢されることになる。この場合、底板２、板バネ４、環状ゴム８２などは不要となる。
【００７４】
付勢規制機構５では、紐体（紐部材２１）の代わりに、帯体や鎖体を用いてもよい。また、付勢規制機構を、各支持バー３・・に一端側が連結された複数の紐から構成し、隣接する紐どうし又は紐と支持バーとを互いに連結して、各支持バー３・・間の距離を変更するようにしてもよい。
【００７５】
さらに隣り合う支持バー３・・同士を個別に紐などで結んで、各支持バー３・・が一定距離以上離間しないようにして、各支持バー３・・が一定の大きさ以上に広がらないようにしてもよい。またさらに、付勢規制機構５の長さ規制機構は、支持バー３の片側にのみ突出するもの、支持バー３の両側に突出してもパイプ状でないもの、紐部材２１とは別の位置に取り付けられるものであってもよい。
【００７６】
図１３は、このような長さ規制機構の一例を示している。図１３の（ａ）は、紐部材２１とは別の位置で、支持バー３の片側にのみ突出させた、棒状の長さ規制機構（ストッパー）２０Ａを示している。また、図１３の（ｂ）は、外側に紐部材２１を案内する溝２０ａが形成された湾曲片を、中間部が支持バー３の位置にくるように取り付けた長さ規制機構２０Ｂを示している。紐部材２１の移動を拘束する付勢規制機構５の固定機構は、内面に摩擦のあるパイプ内に紐部材２１を通したようなものや、単に紐部材２１の両端側をつまむクリップのようなものであってもよい。
【００７７】
なお、長さ規制機構は、紐部材２１と同一位置にあることにより、支持バー３側に余分な負荷（モーメント）を与えない。また、長さ規制機構（湾曲パイプ２０）は無くてもよい。
【００７８】
付勢規制機構は、かご状収納体Ｇの支持バー３・・側の上部内側又は上部外側に、支持バー３に係合するようにして巻回された帯状板バネまたは環状針金バネで、金属巻尺のように、この巻回を巻いて閉じる方向に弾性力を出すものであってもよい。この場合、板バネまたは針金バネの端部と中間部とを、例えば挟持クリップで固定することにより、かご状収納体Ｇを１巻きだけ巻回する板バネまたは針金バネの長さが決められ、かご状収納体Ｇの上端径Ｄが定められる。この板バネの断面は、金属巻尺のように湾曲していてもよい。
【００７９】
図１４は、付勢規制機構の他の例を示している。この付勢規制機構５Ａは、下端が底板２に回動自在に支持されるストッパー部材２４の上端側を、支持バー３に沿って移動可能とし、このストッパー部材２４の上端を、支持バー３の傾斜角に合わせて、支持バー３側に固定できるようにしたものである。
【００８０】
取っ手掛け部の引っ掛け部の形状は、Ｔ字状、Ｌ字状、フック状、釘の頭状でもよい。また、取っ手掛け部は、回動させず、また上下動せず、固定式のものであってもよい。さらに、取っ手掛け部は左右に広がったり縮んだり、環状リングの径が変化するもの、開閉するものでもよく、袋Ｐの取っ手Ｐ１の大きさに沿って取っ手掛け部の大きさが変更されればよい。取っ手当接部は、かご状収納体Ｇに対して側方に突出するだけでなく、外向き又は内向きに突出するものであってもよい。
【００８１】
袋Ｐは、プラスチック（合成樹脂）製の他に、紙製や布製のものであってもよい。袋Ｐの取っ手部Ｐ１は、収納部側と一体に形成されている帯状や湾曲状のもの、収納部側と別体に形成されている紐状や帯状のものでもよい。また、袋Ｐの取っ手部Ｐ１の数は、３つ以上のものでもよい。この場合、取っ手部Ｐ１の数に合わせて、移動機構６や取っ手掛け部７の数も増加させる。また、袋Ｐは、再使用可能なもの、使い捨てのものを問わず、かつ、新品のもの、再利用のものを問わない。
【００８２】
（５）他の発明の効果
［１］開口部とこの開口部から上方に延びて手に握られる複数の取っ手部とを備えた袋を、開口部を上にして内側に位置させる支持体と、この支持体の外側の複数箇所に取り付けられ、上記袋の複数の取っ手部が掛けられる複数の取っ手掛け部と、この取っ手掛け部を上下に移動させるとともに移動した状態で固定する移動機構とを備えたことを特徴とする袋固定装置。これにより、取っ手部を利用して、袋の開口部を支持体の上縁位置で簡単に開くことができ、袋の使い勝手の向上を図ることができる。
【００８３】
［２］上記袋の取っ手部は、当該袋の開口部で等間隔で２つ以上設けられ、上記取っ手掛け部は、上記支持体の外側に等間隔で２つ以上設けられていることを特徴とする請求項１記載の袋固定装置。特に取っ手部が３つ以上ある場合に、袋の開口部を均一に大きく開くことができる。
【００８４】
［３］上記取っ手掛け部は支持体から外方へ突出するとともに、上下に回動可能であることを特徴とする請求項１または２記載の袋固定装置。取っ手掛け部を上向きに回動させることにより、袋の取っ手部を取っ手掛け部に容易に引っ掛けることができる。また、取っ手掛け部を下向きに回動させることにより、引っ掛けられた取っ手部を、この取っ手掛け部から容易に外れないようにすることができる。
【００８５】
［４］上記取っ手掛け部の根元には、袋の取っ手部が当たって係止される取っ手当接部が設けられていることを特徴とする請求項１、２または３記載の袋固定装置。これにより、取っ手掛け部の回動部に袋の取っ手部が当たってしまうことがなく、この回動部に負荷をかけることがない。
【００８６】
［５］開口部を備えた袋を、開口部を上にして内側に位置させ、当該袋の開口部が上部に係止される複数の支持体と、この複数の支持体の上部を外方へ付勢する付勢機構と、この付勢機構の付勢による、支持体の上部の外方への動きを規制する付勢規制機構とを備えたことを特徴とする袋固定装置。これにより、複数の支持体の上端側に、袋の開口部を最も開いた状態で位置させることができ、袋へのものの投入が容易となり、袋の使い勝手の向上を図ることができる。また、袋の開口部の開きすぎによる袋の破損も防止できる。
【００８７】
［６］上記付勢規制機構は、上記各支持体の上部を連結して繋ぐ機構であることを特徴とする請求項５記載の袋固定装置。これにより、支持体の無い支持体間においても、袋の開口部を弛まないように開くことができる。
【００８８】
［７］上記付勢規制機構は、上記各支持体の上部を繋ぐ長さが変更され、この変更によって支持体の上部の動きの規制量が変更されることを特徴とする請求項６記載の袋固定装置。
【００８９】
［８］上記付勢規制機構は、上記各支持体に対して固定されておらずスライド可能に係合されていることを特徴とする請求項６または７記載の袋固定装置。これにより、付勢規制機構を一カ所で調節することにより、各支持体間の距離を均等に調節することができる。
【００９０】
［９］上記付勢規制機構は、各支持体の上部間の長さを変更した状態で、当該長さを固定する固定機構を備えていることを特徴とする請求項７または８記載の袋固定装置。これにより、付勢規制機構を袋の開口部の大きさに合わせるように調整して、これを固定することができる。
【００９１】
［１０］上記付勢規制機構は、上記各支持体の上部を繋ぐ長さを変更する場合に、この変更される長さを下限で規制する長さ規制機構を備えたことを特徴とする請求項７、８または９記載の袋固定装置。これにより、袋の開口部を過剰に閉じさせてしまうのを防止できるとともに、付勢規制機構の不要な操作範囲を無くして、付勢規制機構の操作の容易化をも図ることができる。
【００９２】
［１１］上記長さ規制機構は、各支持体間において、各支持体より突出した、当接体であり、上記各支持体間隔が所定値未満になると、各当接体同志または当接体と支持体とが当接して、各支持体間隔を下限で規制することを特徴とする請求項１０記載の袋固定装置。これにより、簡単な構成によって長さ規制機構を形成できる。
【００９３】
［１２］上記指示体は上下に延びる棒状であり、上記付勢規制機構は、上記支持体の上部をスライド可能に係合して繋ぐ、可撓性を有する一体の紐体であり、上記長さ規制機構は、上記一体の紐体を中に通す筒体であることを特徴とする請求項９または１１記載の袋固定装置。これにより、支持体の製作の容易化、付勢規制機構の構成の簡単化や操作の容易化を図ることができる。また、紐体を筒体から形成される長さ規制機構中を通過させているので、紐体のスライド移動も容易となる。
【図面の簡単な説明】
【００９４】
【図１】この発明の一実施の形態に係る袋固定装置の外観斜視図である。
【図２】底板による支持バーの支持状態を示す図である。
【図３】付勢規制機構のストッパー周りの断面図である。
【図４】移動機構と取っ手掛け部との正面図である。
【図５】移動機構と取っ手掛け部との側面図である。
【図６】移動機構と取っ手掛け部との平面図である。
【図７】移動機構の拡大断面図である。
【図８】袋固定装置の第１の作用・効果の説明において、袋を袋固定装置側に位置決め固定する直前の状態を示す斜視図である。
【図９】袋固定装置の第１の作用・効果の説明において、袋を袋固定装置に位置決め固定した状態を示す斜視図である。
【図１０】袋固定装置の第２の作用・効果を説明する図であり、（ａ）はかご状収納体の上端径が最小の場合を示し、（ｂ）はかご状収納体の上端径が大きくなった場合を示す。
【図１１】袋固定装置の第２の作用・効果の説明において、袋を袋固定装置側に位置決め固定した状態を示す断面図である。
【図１２】他の付勢機構の説明用断面図である。
【図１３】付勢規制機構の他の長さ規制機構を示す図であり、（ａ）は支持バーの一方側のみに設けた場合を示し、（ｂ）は紐部材案内用の溝のついた湾曲片を、支持バーの両側に突出させるように設けた場合を示す。
【図１４】他の付勢規制機構を示す図である。
【図１５】支持体の自重による他の付勢規制機構を示す図である。
【図１６】従来の袋固定装置を示す図である。
【符号の説明】
【００９５】
１…袋固定装置、２…底板、２ａ…溝、
３…支持バー、３ａ…差込溝、３ｂ…水平貫通孔、３ｃ…下端部、
４…板バネ、５…付勢規制機構、６…移動機構、７…取っ手掛け部、
２０…湾曲パイプ、２１…紐部材、２２…ストッパー、
２３…連結重り、２４…ストッパー部材、
６０…案内レール、６０ａ…溝部、６０ｂ，６０ｃ…突出片、
６１…移動体、６１ａ…基部、６０ｂ…突出部、６２…湾曲板バネ、
７０…操作部、７１…引っ掛け部、７１ａ…支持部、
７１ｂ…取っ手当接部、７１ｃ…差込部、
８１…支持部材、８２…環状ゴム、８３…底環、
２２０…ストッパー、２２１…円筒部、２２１ａ，２２２ａ…孔部、
２２２…押圧部材、２２３…バネ部材、
Ａ…固定位置、Ｂ…差込位置、Ｄ…上端径、
Ｇ…かご状収納体、Ｇ１…円筒かご、Ｋ…開口、Ｎ…ネジ、
Ｐ…袋、Ｐ１…取っ手部、Ｐ２…開口部、Ｐ３…開口周縁部、Ｑ…波形凹凸部。
【図１】
2005324925.tif 000003
【図２】
2005324925.tif 000004
【図３】
2005324925.tif 000005
【図４】
2005324925.tif 000006
【図５】
2005324925.tif 000007
【図６】
2005324925.tif 000008
【図７】
2005324925.tif 000009
【図８】
2005324925.tif 000010
【図９】
2005324925.tif 000011
【図１０】
2005324925.tif 000012
【図１１】
2005324925.tif 000013
【図１２】
2005324925.tif 000014
【図１３】
2005324925.tif 000015
【図１４】
2005324925.tif 000016
【図１５】
2005324925.tif 000017
【図１６】
2005324925.tif 000018